(57)【特許請求の範囲】
【請求項１】
貯留した水を放出する為の放水弁を下部に備えた水計量ホッパと、
該水計量ホッパの荷重を検出するロードセルと、
前記水計量ホッパの上部へ給水弁を介して水を供給する給水管と、
前記ロードセルからの検出信号に基づき前記給水弁及び放水弁の開閉作動を同一バッチサイクル内で、１次水の給水計量放出と２次水の給水計量放出とが順次行われるよう制御する制御装置とを備え、
この制御装置が、
１次水及び２次水の計量順序を選択してロードセルからの検出信号を振り分ける計量順序切換器と、
１次水の所定水量を予め設定する１次水設定器からの設定値信号とロードセルから計量順序切換器を介して導かれた検出信号とを比較して両者が一致したときに合致信号を出力する１次水比較器と、
２次水の所定水量を予め設定する２次水設定器からの設定値信号とロードセルから計量順序切換器を介して導かれた検出信号とを比較して両者が一致したときに合致信号を出力する２次水比較器と、
計量順序切換器に対し計量開始信号を出力すると共に給水弁に対しては開放指示信号を出力し且つ１次水比較器又は２次水比較器からの合致信号を受信したときに給水弁に対して閉止指示信号を出力する計量制御部と、
予め入力されたタイムスケジュールに基づいて作動するスケジュールタイマからの信号に基づいて放水弁に対し開放指示信号を出力し且つ前記ロードセルからのゼロ信号に基づいて放水弁に対し閉止指示信号を出力すると共に計量順序切換器に対しては放水完了信号を出力する放出制御部とにより構成されていることを特徴とするバッチャプラントの給水装置。
【発明の詳細な説明】
【０００１】
【発明の属する技術分野】
本発明は、同一バッチサイクル内において１系統の給水計量放出装置により１次水及び２次水の給水計量放出が順次行われるようにしたバッチャプラントの給水装置に関するものである。
【０００２】
【従来の技術】
図３は従来のバッチャプラントの一例のフローシートであり、分配シュート１をバッチャプラント２の最上部に旋回可能に設け、該分配シュート１の下方に砂貯蔵ビン３と砂利貯蔵ビン４とを配置し、図示しない骨材貯蔵槽からコンベヤ５を介して送給される砂又は砂利を前記分配シュート１によって前記砂貯蔵ビン３又は砂利貯蔵ビン４へ適宜に分配するようになっている。
【０００３】
前記砂貯蔵ビン３の下方には砂計量ホッパ６が設けられており、該砂計量ホッパ６によって前記砂貯蔵ビン３から切り出される砂の重量を計量し、また、前記砂利貯蔵ビン４の下方には砂利計量ホッパ７が設けられており、該砂利計量ホッパ７によって前記砂利貯蔵ビン４から切り出される砂利を計量する。
【０００４】
更に、セメントを貯蔵するセメント貯蔵ビン８の下方には、セメント計量ホッパ１０が設けられており、該セメント計量ホッパ１０によってセメント貯蔵ビン８から切り出されるセメントを計量する。
【０００５】
前記各計量ホッパ６，７，１０と略同じ高さ位置には、水計量ホッパ１１が設けられており、該水計量ホッパ１１によって水を計量する。
【０００６】
更に、前記各計量ホッパ６，７，１０の下方に配置されている集合ホッパ１２によって、砂計量ホッパ６から切り出した砂と、砂利計量ホッパ７から切り出した砂利と、セメント計量ホッパ１０から切り出したセメントと、水計量ホッパ１１から切り出した水とを夫々必要に応じて集め且つ該集合ホッパ１２の下方に配置されているコンクリートミキサ１３へ投入する。
【０００７】
而して、前記コンクリートミキサ１３によって前記の各種コンクリート材料及び水を混練することによって生コンクリートを製造し得るようになっている。
【０００８】
ところが、近年、同一バッチサイクル内において１次水、２次水の２回にわたる水の投入によってコンクリート混練を行なう方法が提案されており、この混練方法によれば、混練性能が向上し、施工性向上など各種の効果があるとされている。
【０００９】
上述のコンクリート混練方法を実施するためには、下記のような給水装置を設けなければならない。
【００１０】
図４は給水装置の一例のフローシートであり、図示していないフレームにロードセル１４を介して支持され且つ内部が１次水計量器１５と２次水計量器１６とに分割された水計量ホッパ１７が設けられており、前記１次水計量器１５の放水口には１次水放水弁１８が取り付けられ、前記２次水計量器１６の放水口には２次水放水弁１９が取り付けられており、前記水計量ホッパ１７の下方には、図示していない各種計量ホッパから放出されるコンクリート材料（矢印ａ）と、前記の１次水放水弁１８及び２次水放水弁１９を介して１次水計量器１５及び２次水計量器１６から放出される水を受け入れるようにコンクリートミキサ１３が配置されている。
【００１１】
また、前記水計量ホッパ１７に対して給水し得るように配管した給水管２１から分岐し前記１次水計量器１５へ給水し得るように形成された給水支管の先端部に１次水給水弁２２が設けられ、前記給水管２１から分岐し前記２次水計量器１６へ給水し得るように形成された給水支管の先端部に２次水給水弁２３が設けられている。
【００１２】
而して、コンクリート材料を混練するに際しては、図示していない各種計量ホッパからコンクリート材料（矢印ａ）をコンクリートミキサ１３へ投入すると共に、１次水給水弁２２を開放して１次水計量器１５へ１次水を給水し、ロードセル１４により該１次水の水量を検出して、前記１次水計量器１５で計量すべき設定水量に達したときに前記１次水給水弁２２を閉止し、次いで２次水給水弁２３を開放して２次水計量器１６へ２次水を給水し、ロードセル１４により該２次水の水量を検出して、前記２次水計量器１６で計量すべき設定水量に達したときに前記２次水給水弁２３を閉止する。
【００１３】
その後、所定のバッチサイクルに基づいて１次水放水弁１８を開放して１次水計量器１５から１次水をコンクリートミキサ１３へ放出し、次いで所定の時間間隔を置いて２次水放水弁１９を開放して２次水計量器１６から２次水をコンクリートミキサ１３へ放出し、その間、前記コンクリートミキサ１３によって各種コンクリート材料と水との混練を行なうことによって生コンクリートを製造し得るようになっている。
【００１４】
図５は給水装置の他の例のフローシートであり、図示していないフレームにロードセル２４を介して支持された１次水計量ホッパ２５が設けられ、該１次水計量ホッパ２５の近傍に、別のロードセル２６を介して支持された２次水計量ホッパ２７が設けられており、前記１次水計量ホッパ２５の放水口には１次水放水弁２８が取り付けられ、前記２次水計量ホッパ２７の放水口には２次水放水弁２９が取り付けられており、前記１次水計量ホッパ２５及び２次水計量ホッパ２７の下方には、図示していない各種計量ホッパから放出されるコンクリート材料（矢印ａ）と、前記の１次水放水弁２８及び２次水放水弁２９を介して１次水計量ホッパ２５及び２次水計量ホッパ２７から夫々放出される水を受け得るようにコンクリートミキサ１３が配置されている。
【００１５】
また、前記１次水及び２次水の各水計量ホッパ２５，２７に対して給水し得るように配管した給水管３１から分岐されて前記１次水計量ホッパ２５へ給水し得るように形成された給水支管の先端部に１次水給水弁３２が設けられ、前記給水管から分岐されて前記２次水計量ホッパ２７へ給水し得るように形成された給水支管の先端部に２次水給水弁３３が設けられている。
【００１６】
而して、各種コンクリート材料を混練するに際しては、図示していない各種計量ホッパからコンクリート材料（矢印ａ）をコンクリートミキサ１３へ投入すると共に、１次水給水弁３２を開放して１次水計量ホッパ２５へ１次水を給水し、ロードセル２４により該１次水の水量を検出して、前記１次水計量ホッパ２５で計量すべき設定水量に達したときに前記１次水給水弁３２を閉止し、また、２次水給水弁３３を開放して２次水計量ホッパ２７へ２次水を給水し、ロードセル２６により該２次水の水量を検出して、前記２次水計量ホッパ２７で計量すべき設定水量に達したときに前記２次水給水弁３３を閉止する。
【００１７】
その後、所定のバッチサイクルに基づいて１次水放水弁２８を開放して１次水計量ホッパ２５から１次水をコンクリートミキサ１３へ放出し、次いで所定の時間間隔を置いて２次水放水弁２９を開放して２次水計量ホッパ２７から２次水をコンクリートミキサ１３へ放出し、その間、前記コンクリートミキサ１３によってコンクリート材料と水との混練を行なうことによって生コンクリートを製造し得るようになっている。
【００１８】
【発明が解決しようとする課題】
しかしながら、前述の図４及び図５に示す各給水装置では、２系統の給水計量放出装置を必要とし、設備費が嵩むこと、メンテナンスに要する時間と経費ともに倍増することなどの問題があった。
【００１９】
本発明は、前述の実情に鑑み、２系統の給水計量放出設備を設けることなく、同一バッチサイクル内において２回の給水計量放出を行ない得るバッチャプラントの給水装置を提供することを目的としてなしたものである。
【００２０】
【課題を解決するための手段】
本発明は、貯留した水を放出する為の放水弁を下部に備えた水計量ホッパと、
該水計量ホッパの荷重を検出するロードセルと、
前記水計量ホッパの上部へ給水弁を介して水を供給する給水管と、
前記ロードセルからの検出信号に基づき前記給水弁及び放水弁の開閉作動を同一バッチサイクル内で、１次水の給水計量放出と２次水の給水計量放出とが順次行われるよう制御する制御装置とを備え、
この制御装置が、
１次水及び２次水の計量順序を選択してロードセルからの検出信号を振り分ける計量順序切換器と、
１次水の所定水量を予め設定する１次水設定器からの設定値信号とロードセルから計量順序切換器を介して導かれた検出信号とを比較して両者が一致したときに合致信号を出力する１次水比較器と、
２次水の所定水量を予め設定する２次水設定器からの設定値信号とロードセルから計量順序切換器を介して導かれた検出信号とを比較して両者が一致したときに合致信号を出力する２次水比較器と、
計量順序切換器に対し計量開始信号を出力すると共に給水弁に対しては開放指示信号を出力し且つ１次水比較器又は２次水比較器からの合致信号を受信したときに給水弁に対して閉止指示信号を出力する計量制御部と、
予め入力されたタイムスケジュールに基づいて作動するスケジュールタイマからの信号に基づいて放水弁に対し開放指示信号を出力し且つ前記ロードセルからのゼロ信号に基づいて放水弁に対し閉止指示信号を出力すると共に計量順序切換器に対しては放水完了信号を出力する放出制御部とにより構成されていることを特徴とするバッチャプラントの給水装置、に係るものである。
【００２１】
斯かる本発明によれば、バッチャプラントにおける生コンクリート混練用水を、１次水、２次水の２回に分けて、順次、単独の水計量ホッパへ供給して計量し且つ計量単位毎にコンクリートミキサへ放出することが可能となり、同一バッチサイクル内において１次水及び２次水の２段の給水計量及び放出が可能となる。
【００２３】
【発明の実施の形態】
以下、本発明を実施する形態を、図示例と共に説明する。
【００２４】
図１は本発明のバッチャプラントの給水装置を実施する形態の一例を示すブロック図であり、図示しないフレームにロードセル３４を介して支持され且つ下部に放水弁３５を備えた水計量ホッパ１１を設けると共に、該水計量ホッパ１１の上部に給水弁３８を介して水を供給し得るように配管された給水管３７を設け、前記水計量ホッパ１１の下方にコンクリートミキサ１３を配置し、該コンクリートミキサ１３へ前記放水弁３５を介して水計量ホッパ１１から放出される水を供給できるように構成する。
【００２５】
更に、前記ロードセル３４に接続され且つ１次水及び２次水の計量順序を選択して前記ロードセル３４からの検出信号３４ａを振り分ける計量順序切換器４０を設け、該計量順序切換器４０と１次水の所定水量を予め設定し得る１次水設定器４１とに接続された１次水比較器４２を設け、該１次水比較器４２によって、前記１次水設定器４１から出力される設定値信号４１ａによる設定水量値と、前記ロードセル３４が水計量ホッパ１１の荷重を検知して前記計量順序切換器４０を介し出力する検出信号３４ａによる１次水の水量値とを比較し、設定水量値と１次水の水量値とが一致したときに合致信号４２ａを出力できるように構成する。
【００２６】
また、前記計量順序切換器４０と２次水の所定水量を予め設定し得る２次水設定器４３とに接続された２次水比較器４４を設け、該２次水比較器４４によって、前記２次水設定器４３から出力される設定値信号４３ａによる設定水量値と、前記ロードセル３４が水計量ホッパ１１の水量を検知して前記計量順序切換器４０を介し出力する検出信号３４ａによる２次水の水量値とを比較し、設定水量値と２次水の水量値とが一致したときに合致信号４４ａを出力し得るように構成する。
【００２７】
更に、計量順序切換器４０に対し計量開始信号４５ｃを出力すると共に給水弁３８に対しては開放指示信号４５ａを出力し且つ１次水比較器４２又は２次水比較器４４からの合致信号４２ａ又は４４ａを受信したときに給水弁３８に対して閉止指示信号４５ｂを出力する計量制御部４５を設ける。
【００２８】
更にまた、予め入力されたタイムスケジュール（図２に示すバッチサイクルの一例参照）に基づいて作動するスケジュールタイマ４６から出力される信号４６ａに基づいて放水弁３５に対し開放指示信号４７ａを出力し且つ前記ロードセル３４が水計量ホッパ１１内の水が全て放出されたときに出力するゼロ信号３４ｂに基づいて放水弁３５に対し閉止指示信号４７ｂを出力すると共に計量順序切換器４０に対しては放水完了信号４７ｃを出力する放出制御部４７を設ける。
【００２９】
ここで、特に本形態例においては、スケジュールタイマ４６からの信号４６ａに基づいて放出制御部４７により実行される１次水及び２次水の放出が、確実に計量が完了した後に行われるようにする為に、計量制御部４５から放出制御部４７に対して給水完了信号４５ｄが出力されるようにしてある。
【００３０】
尚、図中における４８は前述した計量順序切換器４０、１次水設定器４１、１次水比較器４２、２次水設定器４３、２次水比較器４４、計量制御部４５、スケジュールタイマ４６、放出制御部４７によって構成される制御装置を示す。
【００３１】
次に、本形態例の作動について説明する。
【００３２】
コンクリート材料を混練するに際しては、図示していない各種計量ホッパからコンクリート材料（矢印ａ）をコンクリートミキサ１３へ投入すると共に、計量制御部４５から計量順序切換器４０に対して計量開始信号４５ｃを出力して１次水計量を選択させることにより、ロードセル３４と１次水比較器４２とを接続し、更に給水弁３８に対して開放指示信号４５ａを出力することにより、給水弁３８を開放して給水管３７から水計量ホッパ１１への給水を開始する。
【００３３】
このとき、水計量ホッパ１１に貯留される水量をロードセル３４が検知して検出信号３４ａを出力するが、該検出信号３４ａによる１次水の水量値と１次水設定器４１から出力される設定値信号４１ａによる設定水量値とを１次水比較器４２によって比較し、これら設定水量値と１次水の水量値とが一致したときに前記１次水比較器４２から合致信号４２ａが出力され、該合致信号４２ａの入力を得た計量制御部４５が給水弁３８に対して閉止指示信号４５ｂを出力して給水弁３８を閉止する。
【００３４】
同時に前記計量制御部４５から放出制御部４７に対して給水完了信号４５ｄが出力される。
【００３５】
その後、前記放出制御部４７は、予め入力されているタイムサイクルに準拠して作動するスケジュールタイマ４６の信号４６ａに従い、水計量ホッパ１１の放水弁３５に対して開放指示信号４７ａを出力して該放水弁３５を開放し、水計量ホッパ１１からコンクリートミキサ１３へ１次水を放出する。
【００３６】
前記水計量ホッパ１１から１次水が放出されて水計量ホッパ１１内の水量がゼロとなったときに、前記ロードセル３４から放出制御部４７に対してゼロ信号３４ｂが出力され、該ゼロ信号３４ｂの入力を得た放出制御部４７が放水弁３５に対して閉止指示信号４７ｂを出力して該放水弁３５を閉止する。
【００３７】
同時に、前記放出制御部４７から計量順序切換器４０に対して放水完了信号４７ｃが出力され、計量順序切換器４０が２次水計量を選択してロードセル３４と２次水比較器４４とを接続すると共に、計量制御部４５から給水弁３８に対して開放指示信号４５ａが出力され、給水弁３８が開放されて給水管３７から水計量ホッパ１１への給水が開始される。
【００３８】
このとき、水計量ホッパ１１に貯留される水量をロードセル３４が検知して検出信号３４ａを出力するが、該検出信号による２次水の水量値と２次水設定器４３から出力される設定値信号４３ａによる設定水量値とを２次水比較器４４によって比較し、これら設定水量値と２次水の水量値とが一致すると前記２次水比較器４４から合致信号４４ａが出力され、該合致信号４４ａの入力を得た計量制御部４５が給水弁３８に対して閉止指示信号４５ｂを出力して該給水弁３８を閉止する。
【００３９】
同時に前記計量制御部４５から放出制御部４７に対して給水完了信号４５ｄが出力される。
【００４０】
その後、前記放出制御部４７は、予め入力されているタイムサイクルに準拠して作動するスケジュールタイマ４６の信号４６ａに従い、水計量ホッパ１１の放水弁３５に対して開放指示信号４７ａを出力して前記放水弁３５を開放し、水計量ホッパ１１からコンクリートミキサ１３へ２次水を放出する。
【００４１】
前記水計量ホッパ１１から２次水が放出されて水計量ホッパ１１内の水量がゼロとなったときに、前記ロードセル３４から放出制御部４７に対してゼロ信号３４ｂが出力され、該ゼロ信号の入力を得た放出制御部４７が放水弁３５に対して閉止指示信号４７ｂを出力して該放水弁３５を閉止する。
【００４２】
その間、前記コンクリートミキサ１３によってコンクリート材料と水との混練を行なうことによって生コンクリートを製造する。
【００４３】
前記によれば、図４又は図５に示すような１次水及び２次水の２系統の給水計量及び放出の設備を要せず、既存のバッチャプラントの同一バッチサイクル内において１次水及び２次水の２段投入を行なうことができるので、設備費やメンテナンスに要する時間及び経費を抑制したままで混練性能の向上、コンクリートの物性改善、施工性向上、耐久性改善などを図ることができる。
【００４４】
なお、本発明のバッチャプラントの給水装置は上述した形態例にのみ限定されるものではなく、本発明の要旨を逸脱しない範囲内において種々変更を加え得ることは勿論である。
【００４５】
【発明の効果】
以上述べたように、本発明のバッチャプラントの給水装置によれば、２系統の給水計量放出設備を設けることなく、同一バッチサイクル内において１系統の給水計量放出装置で異なった設定値の１次水、２次水の２段投入を行なうことができるので、設備費やメンテナンスに要する時間及び経費を抑制したままで混練性能の向上、コンクリートの物性改善、施工性向上、耐久性改善などを図ることができるという優れた効果を奏し得る。
【図面の簡単な説明】
【図１】本発明を実施する形態の一例を示すブロック図である。
【図２】図１に関連するバッチサイクルのタイムチャートの一例を示す図である。
【図３】従来のバッチャプラントの一例を示すフローシートである。
【図４】図３に関連する給水装置の一例を示すフローシートである。
【図５】図３に関連する給水装置の他の例を示すフローシートである。
【符号の説明】
２          バッチャプラント
１１          水計量ホッパ
３４          ロードセル
３４ａ        検出信号
３４ｂ        ゼロ信号
３５          放水弁
３７          給水管
３８          給水弁
４０          計量順序切換器
４１          １次水設定器
４１ａ        設定値信号
４２          １次水比較器
４２ａ        合致信号
４３          ２次水設定器
４３ａ        設定値信号
４４          ２次水比較器
４４ａ        合致信号
４５          計量制御部
４５ａ        開放指示信号
４５ｂ        閉止指示信号
４５ｃ        計量開始信号
４５ｄ        給水完了信号
４６          スケジュールタイマ
４６ａ        信号
４７          放出制御部
４７ａ        開放指示信号
４７ｂ        閉止指示信号
４７ｃ        放水完了信号
４８          制御装置
【図１】
0004036394.tif 000002
【図２】
0004036394.tif 000003
【図３】
0004036394.tif 000004
【図４】
0004036394.tif 000005
【図５】
0004036394.tif 000006